(57)【要約】【課題】塗工に使用するほぼ全ての刷毛（Ｈ）の柄首部（ｈｃ）に挿着でき，塗布液が柄手元部（ｈｄ）に垂れ流れて、手や衣服を汚れるのを防止する液垂れ防止具（Ｂ）と液垂れ吸収具（Ｋ）を安価に提供する。また、液垂れ防止具（Ｂ）と液垂れ吸収具（Ｋ）を刷毛（Ｈ）から除去するときに手が汚れず、脱着しやすく、液垂れ防止具（Ｂ）に発生する糸くずと解れを防止する。【解決手段】刷毛（Ｈ）の毛束部（ｈａ）から垂れ流れる塗布液は、液垂れ吸収具（K）に吸収しながら液垂れ防止具（Ｂ）へ、液垂れ防止具（Ｂ）の内層部（ｂｇ）から表層部（ｂｅ）へ、上周縁部（ｂｃ）から下周縁部（ｂｄ）へ順次含浸しながら濾過する。また、液垂れ防止具（Ｂ）に形成する解れ部（ｂｉ）が、解れないように、解れ防止加工や表層差込部（ｂｆ）と内層差込部（ｂｈ）を形成する。【選択図】図１１
2016068063.tif 000002
【特許請求の範囲】
【請求項１】
刷毛（Ｈ）の柄首部（ｈｃ）に挿着して用いる液垂れ防止具（Ｂ）であって，前記液垂れ防止具（Ｂ）は、前記刷毛（Ｈ）の毛束部（ｈａ）に含ませた塗布液が、前記刷毛（Ｈ）の柄首部（ｈｃ）で、前記刷毛（Ｈ）の柄手元部（ｈｄ）に垂れ流れるのを防止することを特徴とする液垂れ防止具（Ｂ）。
【請求項２】
請求項１の液垂れ防止具（Ｂ）であって，前記液垂れ防止具（Ｂ）は、挿入中空部（ｂｂ）を有する筒状の構造で、糸で編まれた編み物であることを特徴とする液垂れ防止具（Ｂ）。
【請求項３】
請求項１又は請求項２のいずれかの液垂れ防止具（Ｂ）であって，前記液垂れ防止具（Ｂ）は２〜４層であって、上周縁部（図２ｂｃ）が開いていることを特徴とする液垂れ防止具（Ｂ）。
【請求項４】
請求項１〜請求項３のいずれかの液垂れ防止具（Ｂ）であって，前記液垂れ防止具（Ｂ）は，２層であって、下周縁部（図２ｂｄ）が閉じていることを特徴とする液垂れ防止具（図２Ｂ）。
【請求項５】
請求項１〜請求項４のいずれかの液垂れ防止具（図２Ｂ）であって，前記液垂れ防止具（図２Ｂ）の内層部（図２ｂｇ）と表層部（図２ｂｅ）は、上周縁部（図２ｂｃ）から下周縁部（図２ｂｄ）の長さが、前記上周縁部（図２ｂｃ）側で違い、前記液垂れ防止具（図２Ｂ）は、上周縁部（図２ｂｃ）から下周縁部（図２ｂｄ）の長さが、内層部（図２ｂｇ）よりも表層部（図２ｂｅ）の長さが短いことを特徴とする液垂れ防止具（図２Ｂ）。
【請求項６】
請求項１〜請求項５のいずれかの液垂れ防止具（図２Ｂ）であって，前記液垂れ防止具（図２Ｂ）の表層部（図２ｂｅ）の上周縁部（図２ｂｃ）を内層部（図２ｂｇ）側に折り込み、前記内層部（図２ｂｇ）と前記表層部（図２ｂｅ）の間に、前記表層部（図２ｂｅ）の上周縁部（図２ｂｃ）が差し込まれ、前記内層部（図３ｂｇ）と前記表層部（図３ｂｅ）の間に表層差込部（図３ｂｆ）が形成されることを特徴とする液垂れ防止具（図３Ｂ）。
【請求項７】
請求項１〜請求項６のいずれかの液垂れ防止具（図３Ｂ）であって，前記液垂れ防止具（図３Ｂ）は、前記液垂れ防止具（図３Ｂ）の内層部（図３ｂｇ）の上周縁部（図３ｂｃ）を刷毛挿入口（図３ｂａ）側に折り込み、前記刷毛挿入口（図３ｂａ）に前記上周縁部（図３ｂｃ）が差し込まれ、前記内層部（図４ｂｇ）と前記刷毛挿入口（図４ｂａ）の間に内層差込部（図４ｂｈ）が形成されることを特徴とする液垂れ防止具（図４Ｂ）。
【請求項８】
請求項１又は請求項２のいずれかの液垂れ防止具（図５Ｂ）であって，前記液垂れ防止具（図５Ｂ）は、２〜３の異なる編み方で編まれた編み物であることを特徴とする液垂れ防止具（図５Ｂ）。
【請求項９】
請求項１〜請求項８のいずれかの液垂れ防止具（Ｂ）を制作するための長尺液垂れ防止具材（図１Ｔ）であって、前記長尺液垂れ防止具材（図１Ｔ）は、筒状の構造で、前記長尺液垂れ防止具材（図１Ｔ）の所望する箇所を裁断することにより所望する長さの液垂れ防止具（図１Ｂ）を多数製作することができ、前記長尺液垂れ防止具材（図１Ｔ）を裁断することで、前記液垂れ防止具（図１Ｂ）の上周縁部（図１ｂｃ）と下周縁部（図１ｂｄ）に所望する解れ部（図１ｂｉ）を形成することを特徴とする長尺液垂れ防止具材（図１Ｔ）。
【請求項１０】
請求項１〜請求項９のいずれかの液垂れ防止具（Ｂ）であって，前記液垂れ防止具（Ｂ）に形成する解れ部（ｂｉ）が、必要以上に解れないように、解れ防止加工を施すことを特徴とする液垂れ防止具（Ｂ）。
【請求項１１】
柄部（ｈｇ）が二股である刷毛（Ｈ）で、前記刷毛（Ｈ）の右割柄部（ｈｈ）と左割柄部（ｈｉ）の間で、前記刷毛（Ｈ）の柄首部（ｈｃ）に挿着する液垂れ吸収具（Ｋ）であって、前記液垂れ吸収具（Ｋ）は、周壁（図６ｋｃ）と２つの端面（図６ｋｄ）からなる楕円柱型で、楕円柱型の１〜２端面（図６ｋｄ）が前記刷毛（図８Ｈ）の右割柄部（図８ｈｈ）と左割柄部（図８ｈｉ）の間に挿入しやすい形状であって、柔軟性と伸縮性を有する吸収体（図６ｋａ）であることを特徴とする液垂れ吸収具（Ｋ）。
【請求項１２】
請求項１１の液垂れ吸収具（K）であって、前記液垂れ吸収具（K）は、楕円柱型で、前記楕円柱型の１端面（図６ｋｄ）に防水紐部（ｋｃ）を具備することを特徴とする液垂れ吸収具（K）。
【発明の詳細な説明】
【技術分野】
【０００１】
本発明は，刷毛（Ｈ）に挿着して用いる液垂れ防止具（Ｂ）と、液垂れ吸収具（Ｋ）に関するものである。
【背景技術】
【０００２】
塗布作業で、塗布液が垂れないように，刷毛（Ｈ）の毛束部（ｈａ）に塗布液を含ませて、毛束部（ｈａ）をペンキ缶の内壁でしごいてから塗布している。
手を保護する為に軍手やビニール手袋などをするが，刷毛（Ｈ）の毛束部（ｈａ）を水平より上にして塗工すると，だんだんと前記毛束部（ｈａ）に含ませた塗布液が柄首部（ｈｃ）へ流れ，前記柄首部（ｈｃ）から柄手元部（ｈｄ）へ垂れ流れ，前記塗布液が軍手に浸みこみ、手や服の袖口を濡らして汚し、作業能率を落としていた。
また、刷毛（Ｈ）で、和刷毛の場合、右割柄部（ｈｈ）と左割柄部（ｈｉ）の間に塗布液が垂れ流れ、柄手元部（ｈｄ）や柄端部（ｈｅ）から塗布液が垂れ落ち、手や腕や衣服を汚す。
【０００３】
なを、塗布液（Ｅ）には、油性塗料や水性塗料、防腐木材保護塗料、カビ落とし液、あく抜き液、そのほか刷毛で塗布する液体で有る。
【０００４】
刷毛（Ｈ）から塗布液が垂れ流れるのを防止するために，公開特許公報・公開実用新案広報として，下記のような発明がある。
刷毛の毛結部に針金若しくは糸でスポンジを取り付けたペンキ漏れを防止した刷毛(実開平７−４５０５８を参照）、歯ブラシ柄の伝水防止器（実開昭５９−１２８２２８参照）、ハケ・ペンキ返し（特開２００７−１４３８を参照）、受皿付き天井用刷毛(特開２０００−２４５５３４を参照）、ペンキ塗り用の刷毛からのペンキ液タレ落ち防止受皿(特開平１０−２８９２０を参照）、つたい流れ止め受皿形鍔付き刷毛
（実開４ー７８３０を参照）、はけの受皿（実開昭６２―１３２７８６を参照）、防虫・防腐剤塗布用液垂れ防止刷毛装置（特開２００６−２９７２４６を参照）、塗装用刷毛の液垂れ防止ツバ形スカート袋（特願２００２−１１１５２５を参照）、はけカバー（実開昭５６−１３９２８を参照）、刷毛に装着して用いる液垂れ防止具（特開２０１４−３３２２６）などがある。
【０００５】
刷毛に装着して用いる液垂れ防止具（特開２０１４−１３３２２６）の場合、含浸テストで液垂れ防止具（Ｂ）の重さ７ｇで、塗布液が２０ｇ含浸した。  
実際の作業でも一日中、使用しても柄手元部（ｈｄ）へ垂れ流れる事はなかったが、長尺液垂れ防止具材（Ｔ）の所望する箇所を切断すると微細な糸くずが発生するので液垂れ防止具（Ｂ）に付いている微細な糸くずや必要以上のほつれが塗布作業の邪魔をする。
【０００６】
柄部（ｈｇ）が柄首部（ｈｃ）で右割柄部（ｈｈ）と左割柄部（ｈｉ）の二股である刷毛（Ｈ）の間に挿入して用いる液垂れ防止具（Ｂ）は刷毛（Ｈ）の右割柄部（ｈｈ）と左割柄部（ｈｉ）の間が狭いと挿着しづらく、除去にてまどる。
【先行技術文献】
【特許文献】
【０００７】
【特許文献１】特開平１０−２８９２０
【特許文献２】特開２０００−２４５５３４
【特許文献３】特願２００２−１１１５２５
【特許文献４】特開２００６−２９７２４６
【特許文献５】特開２００７−１４３８
【特許文献６】実開昭５６−１３９２８
【特許文献７】実開昭５９−１２８２２８
【特許文献８】実開昭６２―１３２７８６
【特許文献９】実開平４−２７８３０
【特許文献１０】実開平７−４５０５８
【特許文献１１】特開２０１４−１３３２２６
【発明の概要】
【発明が解決しようとする課題】
【０００８】
本発明が解決しようとする課題は，塗布作業で、塗布液が垂れ流れて手や衣服を汚さないように、刷毛（Ｈ）に挿着して用いる液垂れ防止具（Ｂ）と垂れ吸収具（Ｋ）であって、刷毛（Ｈ）の右割柄部（ｈｈ）と左割柄部（ｈｉ）の間が狭くても挿着しやすい液垂れ吸収具（Ｋ）と、長尺液垂れ防止具材（図１Ｔ）を使用して液垂れ防止具（図１Ｂ）を製作したときに発生する糸くずと必要以上の解れすぎを解決する方法に関するものである。
【課題を解決するための手段】
【０００９】
液垂れ防止具（Ｂ）に関する請求項１の発明の課題を解決するための手段は，
刷毛（Ｈ）の柄首部（ｈｃ）に挿着して用いる液垂れ防止具（Ｂ）であって，前記液垂れ防止具（Ｂ）は、前記刷毛（Ｈ）の毛束部（ｈａ）に含ませた塗布液が、前記刷毛（Ｈ）の柄首部（ｈｃ）で、前記刷毛（Ｈ）の柄手元部（ｈｄ）に垂れ流れるのを防止すること。
【００１０】
液垂れ防止具（Ｂ）に関する請求項２の発明の課題を解決するための手段は，
請求項１の液垂れ防止具（Ｂ）であって，前記液垂れ防止具（Ｂ）は、挿入中空部（ｂｂ）を有する筒状の構造で、糸で編まれた編み物であること。
【００１１】
液垂れ防止具（Ｂ）に関する請求項３の発明の課題を解決するための手段は，
請求項１又は請求項２のいずれかの液垂れ防止具（Ｂ）であって，前記液垂れ防止具（Ｂ）は２〜４層であって、上周縁部（図２ｂｃ）が開いていること。
【００１２】
液垂れ防止具（Ｂ）に関する請求項４の発明の課題を解決するための手段は，
請求項１〜請求項３のいずれかの液垂れ防止具（Ｂ）であって，前記液垂れ防止具（Ｂ）は，２層であって、下周縁部（図２ｂｄ）が閉じていること。
【００１３】
液垂れ防止具（Ｂ）に関する請求項５の発明の課題を解決するための手段は，
請求項１〜請求項４のいずれかの液垂れ防止具（図２Ｂ）であって，前記液垂れ防止具（図２Ｂ）の内層部（図２ｂｇ）と表層部（図２ｂｅ）は、上周縁部（図２ｂｃ）から下周縁部（図２ｂｄ）の長さが、前記上周縁部（図２ｂｃ）側で違い、前記液垂れ防止具（図２Ｂ）は、上周縁部（図２ｂｃ）から下周縁部（図２ｂｄ）の長さが、内層部（図２ｂｇ）よりも表層部（図２ｂｅ）の長さが短いこと。
【００１４】
液垂れ防止具（Ｂ）に関する請求項６の発明の課題を解決するための手段は，
請求項１〜請求項５のいずれかの液垂れ防止具（図２Ｂ）であって，前記液垂れ防止具（図２Ｂ）の表層部（図２ｂｅ）の上周縁部（図２ｂｃ）を内層部（図２ｂｇ）側に折り込み、前記内層部（図２ｂｇ）と前記表層部（図２ｂｅ）の間に、前記表層部（図２ｂｅ）の上周縁部（図２ｂｃ）が差し込まれ、前記内層部（図３ｂｇ）と前記表層部（図３ｂｅ）の間に表層差込部（図３ｂｆ）が形成されること。
【００１５】
液垂れ防止具（Ｂ）に関する請求項７の発明の課題を解決するための手段は，
請求項１〜請求項６のいずれかの液垂れ防止具（図３Ｂ）であって，前記液垂れ防止具（図３Ｂ）は、前記液垂れ防止具（図３Ｂ）の内層部（図３ｂｇ）の上周縁部（図３ｂｃ）を刷毛挿入口（図３ｂａ）側に折り込み、前記刷毛挿入口（図３ｂａ）に前記上周縁部（図３ｂｃ）が差し込まれ、前記内層部（図４ｂｇ）と前記刷毛挿入口（図４ｂａ）の間に内層差込部（図４ｂｈ）が形成されること。
【００１６】
液垂れ防止具（Ｂ）に関する請求項８の発明の課題を解決するための手段は，
請求項１又は請求項２のいずれかの液垂れ防止具（図５Ｂ）であって，前記液垂れ防止具（図５Ｂ）は、２〜３の異なる編み方で編まれた編み物であること。
【００１７】
液垂れ防止具（Ｂ）に関する請求項９の発明の課題を解決するための手段は，
請求項１〜請求項８のいずれかの液垂れ防止具（Ｂ）を制作するための長尺液垂れ防止具材（図１Ｔ）であって、前記長尺液垂れ防止具材（図１Ｔ）は、筒状の構造で、前記長尺液垂れ防止具材（図１Ｔ）の所望する箇所を裁断することにより所望する長さの液垂れ防止具（図１Ｂ）を多数製作することができ、前記長尺液垂れ防止具材（図１Ｔ）を裁断することで、前記液垂れ防止具（図１Ｂ）の上周縁部（図１ｂｃ）と下周縁部（図１ｂｄ）に所望する解れ部（図１ｂｉ）を形成すること。
【００１８】
液垂れ防止具（Ｂ）に関する請求項１０の発明の課題を解決するための手段は，
請求項１〜請求項９のいずれかの液垂れ防止具（Ｂ）であって，前記液垂れ防止具（Ｂ）に形成する解れ部（ｂｉ）が、必要以上に解れないように、解れ防止加工を施すこと。
【００１９】
液垂れ吸収具（Ｋ）に関する請求項１１の発明の課題を解決するための手段は，
柄部（ｈｇ）が二股である刷毛（Ｈ）で、前記刷毛（Ｈ）の右割柄部（ｈｈ）と左割柄部（ｈｉ）の間で、前記刷毛（Ｈ）の柄首部（ｈｃ）に挿着する液垂れ吸収具（Ｋ）であって、前記液垂れ吸収具（Ｋ）は、周壁（図６ｋｃ）と２つの端面（図６ｋｄ）からなる楕円柱型で、楕円柱型の１〜２端面（図６Ｋｄ）が前記刷毛（図８Ｈ）の右割柄部（図８ｈｈ）と左割柄部（図８ｈｉ）の間に挿入しやすい形状であって、柔軟性と伸縮性を有する吸収体（図６ｋａ）であること。
【００２０】
液垂れ吸収具（Ｋ）に関する請求項１２の発明の課題を解決するための手段は，
請求項１１の液垂れ吸収具（Ｋ）であって、前記液垂れ吸収具（Ｋ）は、楕円柱型で、前記楕円柱型の１端面（図６ｋｄ）に防水紐部（ｋｃ）を具備すること。
【発明の効果】
【００２１】
請求項１の発明にかかわる手段である，
刷毛（Ｈ）の柄首部（ｈｃ）に挿着して用いる液垂れ防止具（Ｂ）であって，前記液垂れ防止具（Ｂ）は、前記刷毛（Ｈ）の毛束部（ｈａ）に含ませた塗布液が、前記刷毛（Ｈ）の柄首部（ｈｃ）で、前記刷毛（Ｈ）の柄手元部（ｈｄ）に垂れ流れるのを防止することには、下記に記す効果がある。
（００１）刷毛（Ｈ）の毛束部（ｈａ）に含ませた塗布液が、前記刷毛（Ｈ）の柄首部（ｈｃ）で、垂れ流れる塗布液を液垂れ防止具（Ｂ）が前記塗布液を含浸して吸着するため，刷毛（Ｈ）の柄首部（ｈｃ）より下の柄手元部（ｈｄ）に自由自在に塗布しても塗布液が垂れ流れないため、手や衣服（袖口）を汚さない。
（００２）手や衣服（袖口）を汚さないため、作業時間を短縮出来る。
（００３）作業中、手が塗布液でべとつかないため作業能率が上がる。
【００２２】
請求項２〜請求項５の発明にかかわる手段である，
請求項１の液垂れ防止具（Ｂ）であって，前記液垂れ防止具（Ｂ）は、挿入中空部（ｂｂ）を有する筒状の構造で、糸で編まれた編み物であることと、請求項１又は請求項２のいずれかの液垂れ防止具（Ｂ）であって，前記液垂れ防止具（Ｂ）は２〜４層であって、上周縁部（図２ｂｃ）が開いていることと、請求項１〜請求項３のいずれかの液垂れ防止具（Ｂ）であって，前記液垂れ防止具（Ｂ）は，２層であって、下周縁部（図２ｂｄ）が閉じていることと、請求項１〜請求項４のいずれかの液垂れ防止具（図２Ｂ）であって，前記液垂れ防止具（図２Ｂ）の内層部（図２ｂｇ）と表層部（図２ｂｅ）は、上周縁部（図２ｂｃ）から下周縁部（図２ｂｄ）の長さが、前記上周縁部（図２ｂｃ）側で違い、前記液垂れ防止具（図２Ｂ）は、上周縁部（図２ｂｃ）から下周縁部（図２ｂｄ）の長さが、内層部（図２ｂｇ）よりも表層部（図２ｂｅ）の長さが短いことには、下記に記す効果がある。
（００１）筒状の編み物である液垂れ防止具（Ｂ）は，安価に製作でき、伸縮自在で柔軟性があるため，挿着，脱着が容易である。
（００２）筒状の編み物である前記液垂れ防止具（Ｂ）は，刷毛（Ｈ）の柄首部（ｈｃ）に装着するが、塗工において液垂れ防止具（Ｂ）の重さを感じさせないほど小さく軽く作ることができ、塗工を邪魔せず、刷毛（Ｈ）に液垂れ防止具（Ｂ）を挿着した場合、持ちやすい。
（００３）筒状の編み物である液垂れ防止具（図２Ｂ）は，伸縮性を有するので，刷毛（Ｈ）で、極端に太い柄首部（ｈｃ）をのぞき、２〜３種類の太さの前記液垂れ防止具（図２Ｂ）で，全ての刷毛（Ｈ）に挿着できる。
（００４）最初に、塗布液は、前記液垂れ防止具（図２Ｂ）の内層部（図２ｂｇ）の上周縁部（図２ｂｃ）に形成される解れ部（図２ｂｉ）が含浸する。
（００５）液垂れ防止具（図２Ｂ）の上周縁部（図２ｂｃ）から下周縁部（図２ｂｄ）へと、塗布液は含浸するが、前記液垂れ防止具（図２Ｂ）は、前記塗布液の粒子の粗い顔料から順に、吸着し濾過する。
（００６）刷毛（Ｈ）の柄部（ｈｇ）に接地している前記液垂れ防止具（図２Ｂ）の内層部（図２ｂｇ）が表層部（図２ｂｅ）より長いため、内層部（図２ｂｇ）から表層部（図２ｂｅ）へ順次、塗布液が含浸する。
（００７）液垂れ防止具（図２Ｂ）の上周縁部（図２ｂｃ）から下周縁部（図２ｂｄ）へ塗布液の顔料は、段々と吸着し、濾過され、薄め液であるシンナーや水は蒸発する。
（００８）液垂れ防止具（図２Ｂ）に使用される糸は，塗布液に使用するシンナーや薬剤に強い糸を使用し、水性塗料，油性塗料，ニス，ウレタン塗料，防虫防腐剤，シロアリ予防剤、白木灰汁抜き液など、ほとんどの前記塗布液を前記液垂れ防止具（図２Ｂ）は、含浸して吸着し濾過する。
（００９）液垂れ防止具（図２Ｂ）の２層の下周縁部（図２ｂｄ）が閉じているため，前記下周縁部（ｂｄ）が袋状に形成され、含浸した塗布液が、下周縁部（図２ｂｄ）でとまる。
【００２３】
糸は，繊維をほぐし、くしけずるようにして繊維を並べ、撚りをかけて糸にするが、糸には毛羽があり、非常に軽く、柔軟さと強靱さがある。
糸は繊維に撚りをかけて糸にするが、繊維は緻密な結晶部分と粗雑な非結晶部分で成り立ち、塗布液の顔料が繊維に近づくと、繊維の表面へ吸着され、粗雑な非結晶部分に入り込み吸着する。
塗布液に含まれる水やシンナーは作業中蒸発し乾燥する。
本発明に使用される糸の一例として，自然繊維でできた糸、合成繊維でできた糸、混合繊維でできた糸、その他にもリサイクルされた糸が考えられる。
糸で編まれた筒状の構造の一例として，中空円柱，中空段付き円柱，中空円錐台，中空段付き円錐台，中空楕円柱，中空段付き楕円柱，中空楕円錐台，中空段付き円錐台の形状で，ほかにも鼓状，太鼓状，ラッパ状のものが考えられる。
編み方の一例として、平編、リブ編、パール編、両面編、柄物など様々な編み方があり、別に同じような編み方であっても糸の長さを変えたり糸の本数を変えたりする編み方もある。
【００２４】
請求項６の発明にかかわる手段である、
請求項１〜請求項５のいずれかの液垂れ防止具（図２Ｂ）であって，前記液垂れ防止具（図２Ｂ）の表層部（図２ｂｅ）の上周縁部（図２ｂｃ）を内層部（図２ｂｇ）側に折り込み、前記内層部（図２ｂｇ）と前記表層部（図２ｂｅ）の間に、前記表層部（図２ｂｅ）の上周縁部（図２ｂｃ）が差し込まれ、前記内層部（図３ｂｇ）と前記表層部（図３ｂｅ）の間に表層差込部（図３ｂｆ）が形成されることには下記に記す効果がある。
（００１）表層部（図３ｂｅ）の上周縁部（図３ｂｃ）を内層部（図３ｂｇ）側に折り込むことで前記表層部（図３ｂｅ）の前記上周縁部（図３ｂｃ）に発生する糸くずや解れをおさえることができる。
（００２）内層部（図３ｂｇ）と表層部（図３ｂｅ）の上周縁部（図３ｂｃ）の間に表層差込部（図１２ｂｆ）が形成され、前記表層差込部（図１２ｂｆ）と解れ部（図１２ｂｉ）で液溜ポケット（図１２ｂｊ）が形成されるため多く含浸し、前記内層部（図３ｂｇ）から前記表層部（図３ｂｅ）への含浸を遅らせることができる。
【００２５】
請求項７の発明にかかわる手段である，
請求項１〜請求項６のいずれかの液垂れ防止具（図３Ｂ）であって，前記液垂れ防止具（図３Ｂ）は、前記液垂れ防止具（図３Ｂ）の内層部（図３ｂｇ）の上周縁部（図３ｂｃ）を刷毛挿入口（図３ｂａ）側に折り込み、前記刷毛挿入口（図３ｂａ）に前記上周縁部（図３ｂｃ）が差し込まれ、前記内層部（図４ｂｇ）と前記刷毛挿入口（図４ｂａ）の間に内層差込部（図４ｂｈ）が形成されることには下記に記す効果がある。
（００１）内層部（図４ｂｇ）の上周縁部（図４ｂｃ）を刷毛挿入口（図４ｂａ）側に折り込むことで内層部（図４ｂｇ）の上周縁部（図４ｂｃ）に発生する糸くずやほつれすぎをおさえることができる。
（００２）内層部（図４ｂｇ）の上周縁部（図４ｂｃ）を刷毛挿入口（図４ｂａ）側に折り込むことで、刷毛（Ｈ）の柄首部（ｈｃ）と液垂れ防止具（図４Ｂ）の上周縁部（図４ｂｃ）の間に、内層差込部（図４ｂｈ）が形成され、前記内層差込部（図１２ｂｈ）と解れ部（図１２ｂｉ）で液溜ポケット（図１２ｂｊ）が形成されるため、刷毛（図１２Ｈ）の柄首部（図１２ｈｃ）付近で、前記液垂れ防止具（図４Ｂ）は塗布液を多く含浸し、前記内層部（図４ｂｇ）への含浸を遅らせることができる。
（００３）液垂れ防止具（Ｂ）と下記に記す液垂れ吸収具（Ｋ）で、液溜ポケット（図１２ｂｊ）が形成されるため、刷毛（図１２Ｈ）の柄首部（図１２ｈｃ）付近で、前記液垂れ防止具（Ｂ）は塗布液を多く含浸し、前記内層部（ｂｇ）への含浸を遅らせることができる。
（００４）塗布液の一部は刷毛（Ｈ）に塗布液を含ませるときに前記塗布液は、刷毛（Ｈ）の結束部（ｈａ）側に垂れもどる。
【００２６】
請求項８の発明にかかわる手段である，請求項１又は請求項２のいずれかの液垂れ防止具（図５Ｂ）であって，前記液垂れ防止具（図５Ｂ）は、２〜３の異なる編み方で編まれた編み物であることには下記に記す効果がある。
（００１）１層の伸縮性が良く網目が粗い編み方の編み部Ｒ（図５ｂｋ）と網目の密な編み方の編み部Ｈ（図５ｂｍ）の異なる編み方で編まれた液垂れ防止具（図５Ｂ）を、請求項１〜請求項７のいずれかの液垂れ防止具（図２、図３、図４Ｂ）に重ねて挿着するときに重ねて挿着しやすい。
（００２）重ねて挿着することで、含浸量を増やすことができる。
（００３）液垂れ防止具（図５Ｂ）の網目が粗い編み方の編み部Ｒ（図５ｂｋ）は、前記液垂れ防止具（図５Ｂ）の網目の密な編み方の編み部Ｈ（図５ｂｍ）へ含浸する時間を遅らせることができる。
【００２７】
請求項９の発明にかかわる手段である，
請求項１〜請求項８のいずれかの液垂れ防止具（Ｂ）を制作するための長尺液垂れ防止具材（図１Ｔ）であって、前記長尺液垂れ防止具材（図１Ｔ）は、筒状の構造で、前記長尺液垂れ防止具材（図１Ｔ）の所望する箇所を裁断することにより所望する長さの液垂れ防止具（図１Ｂ）を多数製作することができ、前記長尺液垂れ防止具材（図１Ｔ）を裁断することで、前記液垂れ防止具（図１Ｂ）の上周縁部（図１ｂｃ）と下周縁部（図１ｂｄ）に所望する解れ部（図１ｂｉ）を形成することには下記に記す効果がある。
（００１）長尺液垂れ防止具材（図１Ｔ）は、所望する長さに裁断することにより、１層の液垂れ防止具（図１Ｂ）を製作することができ、１本の長尺液垂れ防止具材（図１Ｔ）を複数回切断すれば複数回分の液垂れ防止具（図１Ｂ）を製作することができるので、１個１個製作するよりも安価に製作することができる。
（００２）長尺液垂れ防止具材（図１Ｔ）を裁断することにより、１層の液垂れ防止具（図１Ｂ）を製作でき、１層の前記液垂れ防止具（図１Ｂ）の上周縁部（図１ｂｃ）、下周縁部（図１ｂｄ）に所望する解れ部（ｂｉ）を形成することができる。
（００３）長尺液垂れ防止具材（図１Ｔ）を裁断し、折り方によって請求項１〜請求項７のいずれかの液垂れ防止具（図１Ｂ）を製作することができる。
【００２８】
請求項１０の発明にかかわる手段である，
請求項１〜請求項９のいずれかの液垂れ防止具（Ｂ）であって，前記液垂れ防止具（Ｂ）に形成する解れ部（ｂｉ）が、必要以上に解れないように、解れ防止加工を施すことには下記に記す効果がある。
（００１）解れを抑制することができる。
（００２）糸くずの発生を抑えることができる。
（００３）そのため、糸くずが塗布液の中や塗装した上に落としたりする事がない。
（００４）解れすぎることなく、本発明に必要な解れ部（ｂｉ）を保つことができる。
（００５）塗布するにつれ液垂れ防止具（Ｂ）に塗布液が含浸するため塗布液で解れが防止される。
（００６）解れ防止加工を施すことで、塗布作業前に液垂れ防止具（Ｂ）に付いている糸くずが取り除きやすい。
【００２９】
なお、解れ防止加工とは、本発明に必要な解れ部（ｂｉ）であるが、前記解れ部（ｂｉ）が必要以上に解れることがあるので、糸くずを除去しやすく、糸くずの発生を抑え、必要以上に前記解れ部（ｂｉ）が必要以上に解れないようにすることである。
【００３０】
請求項１１の発明にかかわる手段である，
柄部（ｈｇ）が二股である刷毛（Ｈ）で、前記刷毛（Ｈ）の右割柄部（ｈｈ）と左割柄部（ｈｉ）の間で、前記刷毛（Ｈ）の柄首部（ｈｃ）に挿着する液垂れ吸収具（Ｋ）であって、前記液垂れ吸収具（Ｋ）は、周壁（図６ｋｃ）と２つの端面（図６ｋｄ）からなる楕円柱型で、楕円柱型の１〜２端面（図６Ｋｄ）が前記刷毛（図８Ｈ）の右割柄部（図８ｈｈ）と左割柄部（図８ｈｉ）の間に挿入しやすい形状であって、柔軟性と伸縮性を有する吸収体（図６ｋａ）であることには下記に記す効果がある。
（００１）刷毛（図８Ｈ）の右割柄部（図８ｈｈ）と左割柄部（図８ｈｉ）の間に挿着することにより、前記右割柄部（図８ｈｈ）と前記左割柄部（図８ｈｉ）の割柄部内側（図８ｈｊ）に垂れ流れる塗布液を吸収し、刷毛（図８Ｈ）の柄手元部（図８ｈｄ）に垂れ流れを防止する。
（００２）液垂れ吸収具（Ｋ）の端面（図６Ｋｄ）が刷毛（図８Ｈ）に挿入しやすい形状であるため、前記刷毛（図８Ｈ）の右割柄部（図８ｈｈ）と左割柄部（図８ｈｉ）の間に挿着しやすい。
（００３）刷毛（Ｈ）の柄首部（ｈｃ）に挿着する液垂れ吸収具（Ｋ）と液垂れ防止具（Ｂ）で、刷毛（図８Ｈ）の右割柄部（図８ｈｈ）と左割柄部（図８ｈｉ）の間に液溜ポケット（ｂｊ）を形成でき、液溜ポケット（ｂｊ）は塗布液が柄手元部（図８ｈｄ）に多く垂れ流れてきても防止する。
（００４）含浸しきれないほどの塗布液が垂れ流れてきても液溜ポケット（図１２ｂｊ）に溜まり刷毛（Ｈ）の毛束部（ｈａ）を下にして塗布するときや毛束部（ｈａ）に塗布液を含ませるときに、含浸しきれなかった塗布液は結束部（ｈａ）に戻り防止する。
【００３１】
液垂れ吸収具（Ｋ）の吸収体（ｋａ）の素材として、綿、混合綿、不織布、ガーゼ、織物、スポンジ、高分子吸収剤で、綿、混合綿、不織布、ガーゼ、織物、スポンジ、高分子吸収剤を複合して使用する場合もある。
前記液垂れ吸収具（Ｋ）の形状は、楕円柱型（ほぼ円柱型に近い形状の楕円柱型も含まれる）で、楕円柱型のいずれかの１端面又は２端面が刷毛に挿着しやすいように先端にいくほど細くなる形状で、例として、楕円半球、楕円錐形がある。
【００３２】
請求項１２の発明にかかわる手段である
請求項１１の液垂れ吸収具（Ｋ）であって、前記液垂れ吸収具（Ｋ）は、楕円柱型で、前記楕円柱型の１端面（図６ｋｄ）に防水紐部（ｋｃ）を具備することには下記に記す効果がある。
（００１）液垂れ吸収具（Ｋ）の一端に防水紐部（ｋｂ）を有するため脱着しやすい。
（００２）脱着するときに手が汚れない。
【図面の簡単な説明】
【００３３】
【図１】長尺液垂れ防止具材（Ｔ）を裁断して液垂れ防止具（Ｂ）を製作する図。
【図２】請求項５の液垂れ防止具（Ｂ）の説明図と断面図。
【図３】請求項６の液垂れ防止具（Ｂ）の説明図と断面図。
【図４】請求項７の液垂れ防止具（Ｂ）の説明図と断面図。
【図５】請求項８の液垂れ防止具（Ｂ）の説明図と断面図。
【図６】液垂れ吸収具（Ｋ）の説明図Aと説明図Ｂ。
【図７】刷毛（Ｈ）に液垂れ吸収具（Ｋ）を挿着する側面図。
【図８】刷毛（Ｈ）に液垂れ吸収具（Ｋ）を挿着する上面図。
【図９】刷毛（Ｈ）に請求項７の液垂れ防止具（Ｂ）を挿着する説明図。
【図１０】刷毛（Ｈ）に液垂れ吸収具（Ｋ）と請求項７の液垂れ防止具（Ｂ）を挿着する断面図。
【図１１】刷毛（Ｈ）に請求項７の液垂れ防止具（Ｂ）の上から請求項８の液垂れ防止具（Ｂ）を重ねて挿着する説明図。
【図１２】刷毛（Ｈ）と液垂れ防止具（Ｂ）と液垂れ吸収具（Ｋ）による液溜ポケット（ｂｊ）の説明図。
【発明を実施するための形態】
【００３４】
下記に本発明の実地の形態を図面に沿って本発明の実地するための形態を述べるが，下記実施例及び図面などは，本発明を何ら限定するものではない。
【００３５】
長尺液垂れ防止具材（Ｔ）と液垂れ防止具（Ｂ）と液垂れ吸収具（Ｋ）の実施例を説明する。
（００１）長尺液垂れ防止具材（図１Ｔ）である、伸縮性と吸着性を有する糸で編まれた長い筒状の構造をした編み物を製作する。
（００２）長尺液垂れ防止具材（図１Ｔ）を編む糸は、塗布する液によって綿や混合綿、ナイロンなど様々な糸が考えられる。
（００３）長尺液垂れ防止具材（図１Ｔ）を解れ防止液（一例として水で薄めた洗濯のり）で、解れ防止加工を施す。
【００３６】
（００４）前記長尺液垂れ防止具材（図１Ｔ）を所望する長さに裁断し、様々な液垂れ防止具（Ｂ）のもとになる一層の液垂れ防止具（図１Ｂ）を製作する。
（００５）次に一層の前記液垂れ防止具（図１Ｂ）の上周縁部（図１ｂｃ）と下周縁部（図１ｔｃ）の中央付近で２層になるように折り返し、１層の前記液垂れ防止具（Ｂ）を２層の液垂れ防止具（図２Ｂ）に形成する。
（００６）次に２層の液垂れ防止具（図２Ｂ）の表層部（図２ｂｅ）の上周縁部（図２ｂｃ）を内層部（図２ｂｇ）側に折り込み、前記内層部（図２ｂｇ）と前記表層部（図２ｂｅ）の間に前記表層部（図２ｎ４）の上周縁部（図２ｂｃ）を差し込み前記内層部（図３ｂｇ）と前記表層部（図３ｂｅ）の間に表層差込部（図３ｂｆ）を形成させる。
（００７）次に、液垂れ防止具（図３Ｂ）の内層部（図３ｂｇ）の上周縁部（図３ｂｃ）を刷毛挿入口（図３ｂａ）側に折り込み、前記に前記上周縁部（図３ｂｃ）が差し込まれ、前記内層部（図４ｂｇ）と前記刷毛挿入口（図４ｂａ）の間に内層差込部（図４ｂｈ）を形成させる。
（００８）液垂れ防止具（Ｂ）は、内層部（ｂｇ）の上周縁部（ｂｃ）から下周縁部（ｔｃ）の長さを長く、表層部（ｂｅ）の上周縁部（ｂｃ）から下周縁部（ｔｃ）の長さを短く形成させる。
【００３７】
（０１０）液垂れ防止具（Ｂ）を装着させる前に，刷毛（図８Ｈ）の右割柄部（図８ｈｈ）と左割柄部（ｈｉ・図８）の間であって，柄首部（図８ｈｃ）に液垂れ吸収具（Ｋ）を挿入する。
（０１１）前記液垂れ吸収具（Ｋ）挿入したとき、刷毛（Ｈ）の右割柄部（ｈｈ）と左割柄部（ｈｉ）の内側に接するように挿入するが、前記刷毛（Ｈ）の右割柄部（ｈｈ）と左割柄部（ｈｉ）から，前記液垂れ吸収具（図７Ｋ）の一部分がはみ出るように挿着する。
（０１２）前記液垂れ吸収具（Ｋ）の防水紐部（Ｋｂ）を刷毛（Ｈ）の柄端穴部（ｈｆ）に通して結ぶか、刷毛（Ｈ）の柄手元部（ｈｄ）に養生用紙テープで仮止めする。
（０１３）次に、液垂れ防止具（図９Ｂ）を刷毛（図９Ｈ）の柄端部（図９ｈｅ）を前記液垂れ防止具（図９Ｂ）の刷毛挿入口（ｂａ）から挿入し、前記刷毛（図９Ｈ）の柄首部（図９ｈｃ）に前記液垂れ防止具（図９Ｂ）を挿着する。
前記液垂れ防止具（Ｂ）は、刷毛（Ｈ）の右割柄部（ｈｈ）と左割柄部（ｈｉ）の間に挿入した液垂れ吸収具（Ｋ）が抜け落ちるのを防止する。
（０１４）最後に、編み部Ｒ（伸縮性が良く網目が粗い編み部）（図５ｂｋ）と、編み部Ｈ（含浸性が良く網目の密な編み部）（図５ｂｍ）の複数の編み方で編まれた液垂れ防止具（図５Ｂ）を編み部Ｒ（伸縮性が良く網目が粗い編み部）（図５ｂｋ）側から前に挿着した液垂れ防止具（図９Ｂ）の上に重ねて挿着する。
（０１５）表層部（図４ｂｅ）と内層部（図４ｂｇ）の２層に表層差込部（図４ｂｆ）と内層差込部（図４ｂｈ）を有する４層の液垂れ防止具（図４Ｂ）の上から複数の編み方で編まれた液垂れ防止具（図５Ｂ）の編み部Ｒ（伸縮性が良く網目が粗い編み部）（図５ｂＫ）のみを重ねて挿着するが、挿着する２つの液垂れ防止具（図４、図５Ｂ）の全ての上周縁部（図１１ｂｃ）が見えるように装着する。
（０１６）洋刷毛の場合、液垂れ吸収具（Ｋ）は必要ない。
【００３８】
上記のように装着することで、刷毛（図１１Ｈ）の毛束部（ｈａ）から垂れ流れる塗布液は、液垂れ吸収具（Ｋ）が吸収しながら液垂れ防止具（図４Ｂ）へ、前記液垂れ防止具（Ｂ）の内層部（ｂｇ）から表層部（ｂｅ）へ、上周縁部（ｂｃ）から下周縁部（ｂｄ）へ順次含浸し、最後に複数の編み方で編まれた液垂れ防止具（図５Ｂ）の上周縁部（図５ｂｃ）から下周縁部（図５ｂｄ）に、濾過しながら浸透する。
【００３９】
上記の如く液垂れ吸収具（Ｋ）と液垂れ防止具（Ｂ）は、吸収しながら含浸し、濾過しながら浸透することで、刷毛（Ｈ）の柄手元部（ｈｄ）と柄端部（ｈｅ）に塗布液の垂れ流れるのを防止する。
【００４０】
また、液垂れ吸収具（Ｋ）を刷毛（Ｈ）から除去する場合も防水紐部（ｋｂ）を具備するため手を汚さずに除去することができ、液垂れ防止具（Ｂ）は、解れ防止加工や表層差込部（ｂｆ）、内層差込部（ｂｈ）によって解れや糸くずの発生を抑えることができ、作業能率があがる。
【産業上の利用可能性】
【００４１】
塗工を行う産業は，裾野の広い産業で，塗布する対象物（家屋，陸橋，配管，犬小屋，テラス，塀、）の美観・保護・老朽化を遅らせるためや、防腐，防虫，遮熱、灰汁抜き、塗料剥離など目的に応じて塗布する。
塗工は、熟練工から一般人まで様々な人が塗工をしている。
塗工に使用するほぼ全ての刷毛（Ｈ）に液垂れ防止具（Ｂ）と液垂れ吸収具（Ｋ）は挿着でき，刷毛（Ｈ）の柄手元部（ｈｄ）に垂れ流れる塗布液を柄首部（ｈｃ）で吸収しながら含浸し、濾過しながら浸透するので、刷毛（Ｈ）を自由自在に動かして塗布作業しても前記液垂れ防止具（Ｂ）と液垂れ吸収具（Ｋ）は前記塗布液の垂れ流れを確実に防止するので作業能率が上がる。
塗工に不慣れな人でも不要に塗工を中断して，軍手、手袋、作業服を取り替えたりする必要がないので作業能率が上がる。
液垂れ防止具（Ｂ）と液垂れ吸収具（Ｋ）は，安価に大量生産ができる編み物で，刷毛（Ｈ）の柄首部（ｈｃ）で、柄手元部（ｈｄ）に塗布液が垂れ流れるのを防止するので建築業界は言うに及ばず，塗工のある作業であれば，液垂れ防止具（Ｂ）と液垂れ吸収具（Ｋ）を活用することにより作業能率は上がり、手や軍手や衣料の汚れが極端に減り、必要以上の養生もする必要がなくなるので、作業能率が上がり、不要な出費も減るので、産業上の利用性は大きいと考えられる。
【符号の説明】
【００４２】
Ｔ    長尺液垂れ防止具材
Ｂ    液垂れ防止具
ｂａ      刷毛挿入口
ｂｂ      挿入中空部
ｂｃ      上周縁部
ｂｄ      下周縁部
ｂｅ      表層部
ｂｆ      表層差込部
ｂｇ      内層部
ｂｈ      内層差込部
ｂｉ      解れ部
ｂｊ      液溜ポケット
ｂｋ      編み部Ｒ（伸縮性が良く網目が粗い編み部）
ｂｍ      編み部Ｈ（含浸性が良く網目の密な編み部）
Ｋ    液垂れ吸収具    
ｋａ      吸収体
ｋｂ      防水紐部
ｋｃ      周壁
ｋｄ      端面
Ｈ    刷毛
ｈａ      毛束部
ｈｂ      毛結部
ｈｃ      柄首部
ｈｄ      柄手元部
ｈｅ      柄端部
ｈｆ      柄端穴部
ｈｇ      柄部
ｈｈ      右割柄部
ｈｉ      左割柄部
ｈｊ      割柄部内側
【図１】
2016068063.tif 000003
【図２】
2016068063.tif 000004
【図３】
2016068063.tif 000005
【図４】
2016068063.tif 000006
【図５】
2016068063.tif 000007
【図６】
2016068063.tif 000008
【図７】
2016068063.tif 000009
【図８】
2016068063.tif 000010
【図９】
2016068063.tif 000011
【図１０】
2016068063.tif 000012
【図１１】
2016068063.tif 000013
【図１２】
2016068063.tif 000014